(57)【特許請求の範囲】
【請求項１】
普通免許でも運転可能ないわゆる２ｔトラックのような、汎用の小型平床貨物運搬車の荷台に積み降し可能に積載して移動式給排水設備を構成する給排水ポンプユニットであって、開閉扉付きの収納箱の頂部に投光器を付設し、該収納箱内の下方部に作業員単独の人力で積み降しおよび持ち運び可能な複数台の可搬式水中ポンプを立て並べ、その上方の空間部に並行状に手前より後方を高めに横設させた２本のローラにより各可搬式水中ポンプに装脱自在に装着される複数の浮設用フロートを支承し、仕切板を隔てて隣接する縦長状の空間部には各可搬式水中ポンプの吐出口に接続される複数本の排水ホースを巻取り状に束ねた状態で積み重ねると共に、該仕切板に付設された掛装具に掛け外し可能に各可搬式水中ポンプと電源とを電気的に接続する複数本のキャブタイヤケーブルを懸装させて、前記収納箱内へ取出し自在に収納し且つ収納箱の外側に面してポンプ運転制御用の操作盤を装備させたことを特徴とする、給排水ポンプユニット。
【発明の詳細な説明】
【０００１】
【発明の技術分野】
本発明は、平床貨物運搬車の荷台に積載して移動式給排水設備を構成させるための給排水ポンプユニットに関するものである。
【０００２】
【従来技術とその問題点】
従来、水害時における緊急排水等に出動される排水ポンプ車は図７に示すよう、クレーン等の揚重機１００を装備した専用の特装車１０１であり、荷台に積載している水中ポンプ１０６・・１０６を上記揚重機１００の操作で水中の所定位置に投入し発電装置１０２により水中ポンプ１０６・・１０６を駆動させるという形式のものであり、特装車１０１、揚重機１００、水中ポンプ１０６の全てが大型かつ大重量なため、作業の迅速性を欠き維持管理の面においても車両サイズの大きな保管スペースを要し、非出動時においても車両を他の用途に利用できず、休眠状態に置かれて維持コストが高くつくという憾みがある。
【０００３】
【発明の目的】
本発明の目的は、専用に改造された特装車を必要とすることなく、汎用の小型平床貨物運搬車の荷台を利用し、クレーン等の揚重機を使用することなく作業員単独の人力で水中ポンプの積み降しおよび持ち運びが可能で、非出動時においては大きな保管スペースを要しないだけでなく、車両を他の用途に有効に利用でき、維持管理がローコストな移動式給排水設備を構成させるための、給排水ポンプユニットを提供することにある。
【０００４】
【発明の構成】
本発明に係る給排水ポンプユニットは、普通免許でも運転可能ないわゆる２ｔトラックのような、汎用の小型平床貨物運搬車の荷台に積み降し可能に積載して移動式給排水設備を構成する給排水ポンプユニットであって、開閉扉付きの収納箱の頂部に投光器を付設し、該収納箱内の下方部に作業員単独の人力で積み降しおよび持ち運び可能な複数台の可搬式水中ポンプを立て並べ、その上方の空間部に並行状に手前より後方を高めに横設させた２本のローラにより各可搬式水中ポンプに装脱自在に装着される複数の浮設用フロートを支承し、仕切板を隔てて隣接する縦長状の空間部には各可搬式水中ポンプの吐出口に接続される複数本の排水ホースを巻取り状に束ねた状態で積み重ねると共に、該仕切板に付設された掛装具に掛け外し可能に各可搬式水中ポンプと電源とを電気的に接続する複数本のキャブタイヤケーブルを懸装させて、前記収納箱内へ取出し自在に収納し且つ収納箱の外側に面してポンプ運転制御用の操作盤を装備させた。
【０００５】
【実施例】
以下実施例の図１乃至図６により説明をする。
【０００６】
１は本発明ユニットと組合されて移動式給排水設備を構成するための汎用の小型平床貨物運搬車で、実施に当たっては通常の２ｔトラックが用いられ、該小型平床貨物運搬車１に発動発電機２を搭載してもよい。３は汎用の小型平床貨物運搬車１の荷台へ積み降し可能に積載されるアルミ合金製の収納箱で、該収納箱３の外側に面してポンプ運転制御用の操作盤５を装備し開閉扉４を開けた箱内には、作業員単独の人力で積み降しおよび持ち運び可能なよう重量約３０ｋｇに作られた軽量な複数台の可搬式水中ポンプ６・・６、各可搬式水中ポンプ６・・６と前記発動発電機２とを電気的に接続する複数本のキャブタイヤケーブル７・・７、各可搬式水中ポンプ６・・６の吐出口に接続される複数本の排水ホース８・・８、各可搬式水中ポンプ６・・６に装脱自在に装着される複数の浮設用フロート９・・９、これらの付帯物が取出し自在に収納される。
【０００７】
上記収納態様の具体例としては、収納物の中で最も重量の大きい可搬式水中ポンプ６・・６を取出し易いよう箱内の下方部に立て並べ、その上方の空間部に並行状に手前より後方を高めに横設させた２本のローラ１０ａ，１０ｂにより浮設用フロート９・・９を支承するが、該浮設用フロート９・・９は単孔性発泡スチロール材で環状に作られており、収納時にはその外周円弧面が手前のローラ１０ａに沿って転動しながら両ローラ１０ａ，１０ｂ間に嵌り込むようにして支承され、取出し時にも手前のローラ１０ａに沿って転動しながら両ローラ１０ａ，１０ｂ間から脱出するので、収納および取出し操作は極めて円滑に行われる。仕切板１１を隔てて隣接する縦長状の空間部は排水ホース格納スペース１２となり、複数本の排水ホース８・・８が巻取り状に束ねられた状態で積み重ねられる。キャブタイヤケーブル７・・７は仕切板１１に付設された掛装具１３・・１３に掛け外し可能に懸装させた態様で収納されるが、各掛装具１３・・１３は上下方向に高さを変えて配設し且つ下段の掛装具１３よりも上段の掛装具１３の方がキャブタイヤケーブル７の折り返し巾が大きくなるよう形成しておけば、複数本のキャブタイヤケーブル７・・７同士が絡み付くことを防止できる。
【０００８】
収納箱３の開閉扉４は横開き式であってもよいが、荷台上の狭隘なスペース内での開閉操作を円滑に行わせるためにはシャッター式とすることが望ましく、特に可搬式水中ポンプ６および浮設用フロート９を出し入れする部分はシャッター式の開閉扉とすべきである。１４は夜間作業用の投光器であり、収納箱３の頂部に付設され、発動発電機２によって点灯される。１５・・１５は収納箱３の外面角部に付設された提手であり、収納箱３の積み降しや移動時に用いられるほか、収納箱３を荷台上へ固定させるためのロープ掛けにも利用される。
【０００９】
本発明ユニットを用いて排水作業を行わせるには、汎用の小型平床貨物運搬車１の荷台に積み降し可能に収納箱３を積載し、複数台の可搬式水中ポンプ６・・６、複数本のキャブタイヤケーブル７・・７、複数本の排水ホース８・・８、複数個の浮設用フロート９・・９、これらを作業員単独の人力により収納箱３内へ収納させて所定の排水現場まで運行し、停車後に必要台数の可搬式水中ポンプとその付帯物を作業員単独の人力で取出して、発動発電機２と可搬式水中ポンプ６とをキャブタイヤケーブル７により電気的に接続し、可搬式水中ポンプ６の吐出口に排水ホース８を接続し、且つ浮設用フロート９を装着した可搬式水中ポンプ６を水中へ投入し、操作盤５の操作で可搬式水中ポンプ６を駆動して排水作業を行わせ、夜間作業の場合には投光器１４を点灯させる。そして排水作業終了により可搬式水中ポンプ６を停止して水中から引き上げ、浮設用フロート９、排水ホース８、キャブタイヤケーブル７を取り外して作業員単独の人力によりそれぞれ元の収納箱３内へ収納する。
【００１０】
【発明の効果】
本発明によれば、専用に改造された特装車を必要とすることなく、汎用の小型平床貨物運搬車いわゆる２ｔトラックの荷台を利用して即座に排水ポンプ車を構成させ、クレーン等の揚重機を使用することなく作業員単独の人力で水中ポンプの積み降しおよび持ち運びが可能であり、普通免許でも運転可能な車種に積載できるため、機動性に優れて災害時の困難な道路状況にも対応でき、また、専用の照明車を出動させなくても夜間作業を支障なく遂行することができる。更にまた、非出動時においては大きな保管スペースを要しないだけでなく、車両を他の用途に有効に使用でき、維持管理がローコストな移動式給排設備を構成させることができるのである。
【図面の簡単な説明】
【図１】本発明ユニットにおける収納箱の外観正面図である。
【図２】本発明ユニットにおける収納箱の内部正面図である。
【図３】本発明ユニットにおける収納箱の外観側面図である。
【図４】本発明ユニットにおける収納箱内部の浮設用フロートと支承用ローラの状態を示す説明図である。
【図５】本発明ユニットにおける収納箱内部のキャブタイヤケーブルと掛装具との状態を示す説明図である。
【図６】本発明ユニットを用いて構成された移動式給排水設備の構成図である。
【図７】従来の排水ポンプ車の構成図である。
【符号の説明】
１      汎用の小型平床貨物運搬車
３      収納箱
４      開閉扉
５      操作盤
６      可搬式水中ポンプ
７      キャブタイヤケーブル
８      排水ホース
９      浮設用フロート
１０ａ    手前のローラ
１０ｂ    後方のローラ
１１      仕切板
１３      掛装具
１４      投光器
【図１】
0004656722.tif 000002
【図２】
0004656722.tif 000003
【図３】
0004656722.tif 000004
【図４】
0004656722.tif 000005
【図５】
0004656722.tif 000006
【図６】
0004656722.tif 000007
【図７】
0004656722.tif 000008